(57)【特許請求の範囲】
【請求項１】
天井面に沿って複数の天井パネルが並ぶように、その複数の天井パネルを、先組した躯体梁に上側から落とし込んで組み付ける天井パネル組付け方法であって、
上記天井面に沿って並べる天井パネルのうちの２枚以上の天井パネルの上部を当該２枚以上の天井パネル間に架け渡されるようにして上記並び方向に沿って延在すると共に各天井パネルの上部と連結する組付け治具を備え、
その組付け治具で連結した状態で上記２枚以上の天井パネルを一緒に釣り込んで、先組した躯体梁に落とし込み、  
上記つり込みの際に、載置した上記組付け治具の上に、天井面が上方を向くようにして複数の天井パネルを並べ且つ各天井パネルを組付け治具に連結すると共に、各天井パネルの天井面に天井面材を固定した後に、組付け治具が上側となるように、当該組付け治具で連結された複数の天井パネルを一緒に反転し、その後に、組付け治具で連結した状態で２枚以上の天井パネルを釣り込むことを特徴とする天井パネル組付け方法。
【請求項２】
上記釣り込みは、組付け治具を釣り込むことで行われることを特徴とする請求項１に記載した天井パネル組付け方法。
【発明の詳細な説明】
【技術分野】
【０００１】
本発明は、ユニット式建物の傾斜天井パネルなどの天井パネルを落とし込みにて組み付ける天井パネル組付け方法、およびその組付けに使用する天井パネル用組付け治具に関するものである。
【背景技術】
【０００２】
ユニット式建物にあっては、例えば、各種法的な斜線制限などに対応して、最上階ユニットとして台形ユニットが適用される。この台形ユニットは、傾斜した屋根面を有し、その傾斜した屋根面の下側に配置される天井面も、居住空間の拡大のために傾斜した天井面とすることが多い。
この天井面に天井パネルを設置する方法としては、特許文献１に記載のように、複数の傾斜天井パネルを、先組した躯体梁に順次、上側から落とし込んで組付ける方法がある。
【０００３】
ここで、ユニット式建物の場合には、この天井の構築は、工場内のユニット組立ラインにて行われる。
すなわち、ユニットの骨組みとなる各上梁に対し、それぞれ傾斜天井パネルの上端部又は下端部を受ける受けブラケットを予め取り付けておく。
また、天井ラインにて、別途、対応する台形ユニットの設計に応じて、天井パネルを複数枚、作成する。各天井パネルは、矩形状の枠体を本体とし、その枠体下面の中央位置にだけ、石膏ボードなどの天井面材が取り付けられて構成される。また、上記枠体の上下の横材には、上梁の受けブラケットに上側から載置されて係合させる係合ブラケットを設けておく。
【０００４】
そして上記天井ラインで作成された複数枚の天井パネルを、ユニット組立ラインに搬送した後に、上記天井パネルに吊り金具を取り付けて、当該天井パネルを釣り込み、先組した躯体梁に落とし込みによって設置する。この作業を、傾斜天井面の大きさに応じて複数回実施して、複数の天井パネルを横に並列させる。
更に、天井面に沿って横方向に並ぶ複数枚の天井パネルについて位置決めの調整を行ったのちに、ビス止めなどによって、各天井パネルを上梁に支持させる。各天井パネルを取り付けたら、室内側から、隣り合う天井パネル間の位置に、当該天井パネル間を跨るようにして後貼りの天井面材を貼り付ける。天井面材は例えば石膏ボードである。
【特許文献１】特許第３７５６９９２号公報（図６）
【発明の開示】
【発明が解決しようとする課題】
【０００５】
一般に、各天井面には、複数の天井パネルを横方向に配列するように設置する。このため、設置する天井パネルの数だけ個別に、それぞれの天井パネルの釣り込み・設置する作業が要求される。
また、複数の天井パネルを躯体梁に落とし込んで、各天井パネルの位置決め調整を行うことから、その分、所定の位置決め精度を出すには熟練を要する。このことは、工数増加に繋がる。特に、傾斜天井パネルの場合には、水平な天井パネルと比較して、その位置決め精度その他の問題が大きく、工数が掛かる。
【０００６】
さらに、複数の天井パネルを設置し固定したあとに、室内側からパネル間を跨るように石膏ボードその他の天井面材を後貼り付けする工程が要求される。この工程は、天井パネルの数が多くなるほど、その工数が大きくなり、またこの作業は、天井面の精度品質に影響する。
また、上記落とし込みで設置される天井パネルは、一般に木材で構成されるため、各天井パネル自体を大きくするにも限度がある。
本発明は、上記のような点に着目してなされたもので、落とし込み工法による天井パネルの組付けについて、工数削減及び施工精度の向上を図ることが可能な天井パネルの組付けを提供することを課題としている。
【課題を解決するための手段】
【０００７】
上記課題を解決するために、本発明のうち請求項１に記載した発明は、天井面に沿って複数の天井パネルが並ぶように、その複数の天井パネルを、先組した躯体梁に上側から落とし込んで組み付ける天井パネル組付け方法であって、
上記天井面に沿って並べる天井パネルのうちの２枚以上の天井パネルの上部を当該２枚以上の天井パネル間に架け渡されるようにして上記並び方向に沿って延在すると共に各天井パネルの上部と連結する組付け治具を備え、
その組付け治具で連結した状態で上記２枚以上の天井パネルを一緒に釣り込んで、先組した躯体梁に落とし込み、  
上記つり込みの際に、載置した上記組付け治具の上に、天井面が上方を向くようにして複数の天井パネルを並べ且つ各天井パネルを組付け治具に連結すると共に、各天井パネルの天井面に天井面材を固定した後に、組付け治具が上側となるように、当該組付け治具で連結された複数の天井パネルを一緒に反転し、その後に、組付け治具で連結した状態で２枚以上の天井パネルを釣り込むことを特徴とするものである。
【０００８】
次に、請求項２に記載した発明は、請求項１に記載した構成に対し、上記釣り込みは、組付け治具を釣り込むことで行われることを特徴とするものである。
【発明の効果】
【００１０】
本発明によれば、天井パネルの釣り込み設置作業の工数を低減出来ると共に、組付け精度も向上することが可能となる。
また、少ないパネル反転作業で、複数のパネルを一体化出来ると共に天井面材の貼り付け・釣り込みが可能となる。  
【発明を実施するための最良の形態】
【００１１】
次に、本発明の実施形態について図面を参照しつつ説明する。
図１は、台形ユニット１の概要の構成模式図である。
（構成）
台形ユニット１の躯体骨組みは、図１に示すように、４本の柱２，３と、その４本の柱２，３の上端部間に架設される複数の上梁４〜６と、４本の柱２，３の下端部間に架設される複数の下梁７と、によって構成される。そして、その台形ユニット１の形状は、略箱形状となっている。そして、本実施形態の台形ユニット１は、妻側からみて短辺の上梁４が傾斜した台形状となっている。つまり妻側から見て、後側の柱２よりも前側の柱３を短くすることで、軸を前後に向けて配置する妻側の上梁４は、前側に向かうほど下方に変位するように軸を傾斜して設置されている。なお、図１の台形ユニット１では屋根面全面が傾斜している場合であるが、傾斜面が一部だけである場合もある。
【００１２】
またこれによって、後側の柱２間に架設させる上梁である水上長辺梁５よりも、前側の柱３間に架設させる上梁である水下長辺梁６の方が、下側（水下側）にオフセットして配置される。
この水上長辺梁５と水下長辺梁６との間の空間が、複数の傾斜天井パネルＰを設置する傾斜天井面Ｓとなる。上記水上長辺梁５と水下長辺梁６は、溝形鋼から構成されている。そして、各長辺梁５，６は、ウエブ側が内側を向くように配置してある。
【００１３】
なお、従来にあっては、この水上長辺梁５と水下長辺梁６との間には、各天井パネルＰを受けるための中間梁が架設されているが、本実施形態では、その中間梁を省略する場合で例示する。
また、上記水上長辺梁５および水下長辺梁６にはそれぞれ、図２に示すように、天井パネルＰを受ける受けブラケット９が固定されている。
その受けブラケット９は、垂直に延びた板部材からなる取付け金具１０，１１と、その取付け金具１０，１１に固定される水平材１２，１３と、から構成される。なお水平材１２，１３は、水平に配置された矩形の木材である。
【００１４】
上記取付け金具１０，１１は、垂直板であって、上記長辺梁５，６を構成する溝形鋼の上下のウエブ先端部に当接して溝形鋼の凹部を塞ぐように配置される。また、上記取付け金具１０，１１は、溝形鋼に向けて張り出す上下２つの突起部を備える。その突出部は、溝形鋼のウエブ内側面に当接する。すなわち、上側の突起部の上面は、上側のウエブの下面に当接し、下側の突起部の下面は、下側のウエブの上面に当接した状態で、溶接などによって梁に接合されている。なお、取付け金具１０，１１に、各長辺梁５，６よりも上方に延在するように配置された垂直板が固定されている。
【００１５】
次に、天井パネルＰについて説明する。
各天井パネルＰは、図３及び図４に示すように、矩形の枠体１５（野縁）と、天井面材で有る石膏ボード３０と、係合ブラケット２０，２１と、から構成される。
枠体１５は、２本の横材１６，１７と、その２本の横材１６，１７の端部間を連結する縦材１８とから構成される。ただし、天井面Ｓの横方向端部（妻側の上梁４側）に配置される天井パネルＰでは、上梁４側の縦材１８が省略されている。また、２本の横材１６，１７間に、複数の上記中間材１９が上下に架け渡されて補強されている。図３では３本の中間材１９を配置する場合を例示している。枠体１５を構成する材は、幅方向を上下に向けた平板状の木材から構成される。なお、横材１６，１７や縦材１８よりも中間材１９の方が高さが低い。
【００１６】
その枠体１５の下面中央部には、天井面材である前貼りの石膏ボード３０が貼り付けてある。この天井パネルＰに貼り付ける前貼りの石膏ボード３０は、図５のように、左右方向において、枠体１５下面の中央部を覆うように貼り付けられている。すなわち、枠体１５下面を左右方向に略４分割した、その中央部の２分割部分を覆うように石膏ボード３０が配置されている。図５中、符号３１は後貼りの石膏ボード３１であって、この時点では貼り付いてない。
【００１７】
また、上記枠体１５本体を構成する２本の横材１６，１７にはそれぞれ、その延在方向（横方向）に間隔を開けて複数の係合ブラケット２０，２１が固定されている。この係合ブラケット２０，２１は金属製のブラケットである。この係合ブラケット２０，２１は、金属体を屈曲成型して作成されて、図４に示すように、横材１６，１７の外側面にビス止めによって固定される接合板部２０ａ、２１ａと、その接合板部２０ａ、２１ａと一体になって、傾斜天井パネルＰを設置した状態では水平状態となる係合板部２０ｂ、２１ｂとを備える。その各係合板部２０ｂ、２１ｂは、長辺梁５，６に固定された水平材１２，１３の上に載置可能となっていて、その水平材にビスによって固定される。
本実施形態では、上側の横材１６に固定する係合ブラケット２０では、図４のように、係合板部２０ｂは、接合板部の下端部に連続し、下側の横材１７に固定する係合ブラケット２１では、係合板部２１ｂは、接合板部２１ａの上側に連続している。
【００１８】
次に、組付け治具４０について説明する。
ここで、組付け治具４０や天井パネルＰの向きを特定する場合には、釣り込み時の姿勢を基準にして説明する。
組付け治具４０は、図７に示すように、隣り合った２枚の天井パネルＰ間に跨って配置可能なだけの長さを持った長尺の水平部材からなる。この組付け治具４０は、図６に示すように、上面を下側に向けて床に載置した状態では、上側に位置する、組付け治具４０の下面が一つの平面に位置する構造となっている。ここで、本実施形態では鋼製とする。例えば、組付け治具４０を、平板の鋼材、溝形鋼、アングル材などから構成する。
【００１９】
その組付け治具４０には、下方に向かって突出する複数の取付け部４１を備える（図６の姿勢では取付け部４１は上方に突出している。）。その各取付け部４１は、後述のように組付け治具４０の上に天井パネルＰを載置したときに縦材１８と中間材１９との間であって、石膏ボード３０が貼り付けられていない部分にくるように配置され、且つ、その縦材１８若しくは中間材１９に横方向で近接して対向可能な位置となるように設定する。また、その取付け部４１には、ビス穴（不図示）が複数形成されている。
【００２０】
（施工方法）
まず、図６に示すように、複数本の組付け治具４０を床に載置する。このとき、各組付け治具４０は、上面を床側（下側）にして、つまり取付け部４１が上方に突出するように配置する。また、各組付け治具４０は、図７に示すように、互いに、幅方向に所定間隔を開け且つ互いの軸の延在方向を揃えて配置する。これによって、複数の組付け治具４０の下面（図６の姿勢では上側に位置する。）は、天井パネルＰを載置可能な一つの平面を形成する。
【００２１】
本実施形態では、図７に示すように、隣り合った２枚の天井パネルＰ毎に３本の組付け治具４０を配置するようにして６本の組付け治具４０を使用する場合の例である。３枚の天井パネル全体に架け渡すだけの長さの組付け治具４０を使用して、組付け治具４０の数を減らしても良い。ただし、組付け治具４０は長くなるほど、要求される剛性は高くなる。
【００２２】
その複数の組付け治具４０の上に、図７に示すように、上記３枚の天井パネルＰを並列させて載置する。このとき、各天井パネルＰは石膏ボード３０が上面となるように天地を逆にして載置する。また、各天井パネルＰにおける石膏ボード３０で覆われていない部分、つまり天井パネルＰの縦材１８と中間材１９との間の空間位置に、上記組付け治具４０の取付け部４１がくるようにする。
【００２３】
そして、図８に示すように、取付け部４１の立上り部と枠体１５の縦材１８とを横方向からビス４４で固定して、取付け部４１を天井パネルＰに固定する。
なお、この取付け部４１は、組付け治具４０の本体とは別体で構成しても良い。この場合には、組付け治具４０の上に３枚の天井パネルＰを載置した後に、組付け治具４０及び天井パネルＰの両方にそれぞれ連結するように、取付け部４１を取り付けても良い。取付け部４１が後付の場合の方が、汎用性は有る。
【００２４】
更に、天井パネルＰ間の石膏ボード３０を取り付けていない部分に対し、図５に示すように、後貼り用の石膏ボード３１を貼り付ける。これによって、３枚の並んだ天井パネルＰの下面全面に石膏ボード３１が張り付いた状態となる。
ここで、上記説明では、先貼りの石膏ボード３０が予め枠体１５に貼り付けてある場合で説明しているが、天井パネルＰを組付け治具４０に固定する前に、枠体１５へ先貼りの石膏ボード３０を貼り付けなくても良い。すなわち、枠体１５を組付け治具４０に固定した後に、後貼りと同じタイミングで、全ての石膏ボード３０、３１を貼り付けてもよい。この場合に、枠体１５は軽量であるので、枠体１５に組付け治具４０を固定してから、組付け治具４０が下側となるように反転した後に、石膏ボード３０、３１の貼り付け作業を行っても良い。
【００２５】
次に、一体化した３枚の天井パネルＰ及び組付け治具４０を一緒に、天地を反転させて、石膏ボード３０が下側となるように姿勢を変える。
次に、上側から天井パネルＰの枠体１５内にグラスウール等の断熱材（不図示）を詰める。
次に、一体化した天井パネルＰに対して吊り金具を取り付け、その吊り金具を介して上記複数の天井パネルＰを釣り込む。釣り込んだ天井パネルＰを、図９のように、上記台形ユニット１の水上長辺梁５と水下長辺梁６との間の空間の上方に移動させ、その空間内に落とし込む。この際に、まず、水下側つまり水下長辺梁６に固定した受けブラケット９の水平材１２の上に係合ブラケット２１の係合板部２１ｂを当接させた後で、水上側つまり水上長辺梁５に固定した受けブラケット９の水平材１３の上に係合ブラケット２０の係合板部２０ｂを当接するようにして設置する。なお、釣っている状態で、天井パネルＰの位置合わせを終了させる。
【００２６】
更に、各係合ブラケット２０，２１の係合板部２０ｂ、２１ｂを、水平材１２，１３にビス止めして固定する。
その後、上記組付け治具４０を、天井パネルＰから取り外して撤去する。組付け治具４０を撤去するのは、天井面Ｓと屋根面との上下方向の隙間が小さいためであるが、組付け治具４０を補強材として、そのまま残しておいても良い。
これによって、傾斜天井パネルＰの設置が終了する。
上述のように天井パネルＰを取り付けた後に、その天井パネルＰの上に中間梁やブレースを設置し、さらに屋根材を取り付ける。
【００２７】
（実施形態の作用効果）
次に、作用効果について説明する。
（１）天井パネルＰは、製作上や搬入などの制限から、その大きさには制限がある。これに対して、天井パネルＰの組付け時に、複数の天井パネルＰを、組付け治具４０で一体として、一緒に釣り込み且つ一緒に落とし込んで設置することで、釣り込み作業の回数を減らすことができる。
（２）また、組み付ける前に且つ安定した地上部で複数の天井パネルＰを一体化することで、天井パネルＰ間の位置調整の作業が容易になると共にその精度が向上する。
特に、天井面Ｓが傾斜面である場合には、上梁５，６と天井パネルＰとの向きが異なる等のために、傾斜天井面Ｓにて天井パネルＰの位置調整を行うことは、手間が掛かると共に熟練を要求されるが、本実施形態では、そのようなことが解消する。
【００２８】
（３）また、天井パネルＰ間の後貼りの石膏ボード３１の貼り付け作業も、平坦で且つ安定した地上部で行うため、貼付け作業が容易となると共に、その精度も向上する。
特に、従来であれば、下側から後貼りの石膏ボード３０の貼り付け作業となっていたが、本実施形態では、上側からの貼り付けとなって、精度、品質がより向上する。
【００２９】
（４）また、天地を逆にして、組付け治具４０に複数の天井パネルＰを載置して固定することで、組付け治具４０が複数の天井パネルＰに対する定規の役割をする。
また、天地を逆にして、組付け治具４０に複数の天井パネルＰを載置して、先に組付け治具４０に天井パネルＰを固定することで、天井パネルＰ間の後貼り石膏ボード３１の貼り付けも容易となる。
ここで、天地を逆にしないで（石膏ボード３０、３１が下側に位置する状態で）、複数の天井パネルＰを組付け治具４０で固定する場合には、一度、その状態で天地を逆にして天井パネルＰ間に後貼り石膏ボード３１の貼り付け作業をして、更に裏返す作業が必要となる。なお、このように作業する場合には、天井パネルＰを落とし込んで設置した後で、従来のように、後貼り石膏ボード３１の貼り付けを行っても良いが、手間が掛かる。
【００３０】
（変形例）
（１）ここで、上記実施形態では、天井パネルＰを落とし込んで取り付ける天井面Ｓが傾斜面となっている場合を例示している。天井面Ｓが水平面であっても本願発明は適用できる。ただし、天井面Ｓが傾斜面である方が、本実施形態の効果は大きい。
また、天井面Ｓは平面である必要は無く、一つの曲面状となっていても良い。
（２）また、３枚の天井パネルＰを一度に釣り込むことを想定しているが、天井面Ｓの大きさに合わせて、４枚以上の天井パネルＰを組付け治具４０で一体化して釣り込んでも良い。
（３）また、組付け治具４０で２枚の天井パネルＰを一体化させる場合には、組付け治具４０に、鋼材ほどの剛性は要求されないので、合板木材などの木材等で組付け治具４０を構成しても良い。また、組付け治具４０で３枚以上の天井パネルＰを一体化させる場合であっても、必要な剛性が確保出来るようであれば、合板木材などの木材等で組付け治具４０を構成しても良い。
【図面の簡単な説明】
【００３１】
【図１】本発明に基づく実施形態に係る台形ユニットを示す模式図である。
【図２】本発明に基づく実施形態に係る受けブラケットを示す図である。
【図３】天井パネルを示す小割芯材平面図である。
【図４】天井パネルを示す側面図である。
【図５】天井パネルを示す天井面材が上面に位置した状態での平面図である。
【図６】組付け治具を示す図である。
【図７】組付け治具の配置を示す図である。
【図８】取付け部の取付けを示す側面図である。
【図９】天井パネルを落とし込んで設置した状態を示す側面図である。
【符号の説明】
【００３２】
１    台形ユニット
２，３      柱
４    上梁
５，６  長辺梁（上梁）
９    受けブラケット
１０，１１  取付け金具
１２，１３  水平材
１５  枠体
２０，２１  係合ブラケット
３０  石膏ボード（前貼りの天井面材）
３１  石膏ボード（後貼りの天井面材）
４０  組付け治具
４１  取付け部
Ｐ    天井パネル
Ｓ    天井面
【図１】
0005064948.tif 000002
【図２】
0005064948.tif 000003
【図３】
0005064948.tif 000004
【図４】
0005064948.tif 000005
【図５】
0005064948.tif 000006
【図６】
0005064948.tif 000007
【図７】
0005064948.tif 000008
【図８】
0005064948.tif 000009
【図９】
0005064948.tif 000010